(57)【要約】【課題】  車輪を電動モータと減速機により駆動するモータ駆動装置において、電動モータと減速機への流量分配を回転速度に応じて適切に調整できて、運転効率向上を図ることができるモータ駆動装置を提供する。【解決手段】  このモータ駆動装置は、車輪を駆動する電動モータと、車輪を回転支持する車輪用軸受と、電動モータの回転を減速して車輪用軸受に伝達する減速機と、軸心給油機構とを備える。軸心給油機構は、潤滑油を、主軸の内部から電動モータと、主軸に同心に設けられる減速機入力軸３の内部とに分岐して導く機構である。主軸または減速機入力軸３に、電動モータの定められた高速回転域で減速機へ導く潤滑油の流量を増加させるように、遠心力の作用、または潤滑油の油圧によって開度を調整する流量調整弁Ｒｖを設けた。【選択図】      図４
2016039741.tif 000002
【特許請求の範囲】
【請求項１】
車輪を駆動する電動モータと、前記車輪を回転支持する車輪用軸受と、前記電動モータの回転を減速して前記車輪用軸受に伝達する減速機と、潤滑油を前記電動モータの主軸の内部から前記電動モータおよび前記減速機に供給する軸心給油機構とを備えたモータ駆動装置において、
前記軸心給油機構は、潤滑油を、前記主軸の内部から前記電動モータと、前記主軸に同心に設けられる減速機入力軸の内部とに分岐して導く機構であり、前記主軸または前記減速機入力軸に、前記電動モータの定められた高速回転域で前記減速機へ導く潤滑油の流量を増加させるように、遠心力の作用、または潤滑油の油圧によって開度を調整する流量調整弁を設けたことを特徴とするモータ駆動装置。
【請求項２】
請求項１記載のモータ駆動装置において、前記流量調整弁は、前記主軸または前記減速機入力軸に設けられ弾性変形する弾性部材と、この弾性部材に付設することで移動自在に設けられる弁体とを有し、前記流量調整弁は、前記主軸が回転することで前記弁体に作用する遠心力により前記弾性部材を弾性変形させて前記弁体を移動させ、潤滑油の流量を調整するモータ駆動装置。
【請求項３】
請求項２記載のモータ駆動装置において、前記弾性部材はばね部材であり、前記流量調整弁は、前記ばね部材のばね定数の調整により、前記弁体の移動量を調整可能としたモータ駆動装置。
【請求項４】
請求項２または請求項３に記載のモータ駆動装置において、前記主軸または前記減速機入力軸の内部に凹み部を設け、前記流量調整弁は、前記高速回転域における閾値以上の高速回転で前記弁体を、前記弾性部材の付勢力に抗して前記凹み部に収容させるモータ駆動装置。
【請求項５】
請求項１ないし請求項４のいずれか１項に記載のモータ駆動装置において、前記電動モータは、一部または全体が前記車輪内に配置されて前記電動モータと前記車輪用軸受と前記減速機とを含むインホイールモータ駆動装置を構成するモータ駆動装置。
【請求項６】
請求項１ないし請求項５のいずれか１項に記載のモータ駆動装置において、前記軸心給油機構は、前記電動モータの回転数が変動することで吐出油量が変化するポンプを有し、前記流量調整弁は、潤滑油が前記主軸または前記減速機入力軸の油路を流れることで発生する潤滑油の油圧により前記弁体を移動させるモータ駆動装置。
【発明の詳細な説明】
【技術分野】
【０００１】
この発明は、減速機を有するモータ駆動装置に関し、例えば、インホイールモータ駆動装置の冷却性能、効率を高めるため、潤滑油の供給量を変化させた技術に関する。
【背景技術】
【０００２】
車輪をモータにより駆動するモータ駆動装置において、モータステータへ潤滑油を供給する第１油路への潤滑油の供給を制限し、減速機へは第２油路を介して潤滑油を正規に供給する技術が提案されている（特許文献１）。
【０００３】
ところで減速機を有する自動車用のモータ駆動装置は、モータと減速機の個々で発熱するものの、発熱要因は異なっている。モータの発熱は主にモータコイルに電流が流れることによる発熱で、減速機の発熱は主に内部部品による摩擦に起因する発熱である。
これを車両の実走行に置き換えると、例えば、ユニットにおける発熱量の内、モータが主となるのは、発進時などの高トルク条件であり、一方、減速機が主となるのは高速走行時である。
【先行技術文献】
【特許文献】
【０００４】
【特許文献１】特開２００９−１２００２１号公報
【発明の概要】
【発明が解決しようとする課題】
【０００５】
そのため、モータロータ軸と、このモータロータ軸に連結される減速機入力軸の内部に、軸方向および径方向の油路が形成され、モータロータ内部の油路を経由してモータコイルに油が供給され、減速機入力軸内部の油路を経由して、減速機各部に油が供給される構造の場合、冷却のために低回転時はモータ側へ、高回転時は減速機側へ多くの油を必要とする。
しかしながら分配比は油路設計で概ね確定するため、モータ側と減速機側とに分配される油量は、必ずしも要求される油量に一致せず、モータ効率の低下を招いてしまう。
【０００６】
この発明の目的は、車輪を電動モータと減速機により駆動するモータ駆動装置において、電動モータと減速機への流量分配を回転速度に応じて適切に調整できて、運転効率向上を図ることができるモータ駆動装置を提供することである。
【課題を解決するための手段】
【０００７】
この発明のモータ駆動装置は、車輪を駆動する電動モータと、前記車輪を回転支持する車輪用軸受と、前記電動モータの回転を減速して前記車輪用軸受に伝達する減速機と、潤滑油を前記電動モータの主軸の内部から前記電動モータおよび前記減速機に供給する軸心給油機構とを備えたモータ駆動装置において、
前記軸心給油機構は、潤滑油を、前記主軸の内部から前記電動モータと、前記主軸に同心に設けられる減速機入力軸の内部とに分岐して導く機構であり、前記主軸または前記減速機入力軸に、前記電動モータの定められた高速回転域で前記減速機へ導く潤滑油の流量を増加させるように、遠心力の作用、または潤滑油の油圧によって開度を調整する流量調整弁を設けたことを特徴とする。
前記「定められた高速回転域」は、試験やシミュレーション等の結果により定められる。
【０００８】
この構成によると、軸心給油機構は、潤滑油を、主軸の内部から電動モータの例えばモータステータ等に供給すると共に、減速機入力軸の内部から減速機各部に供給する。軸心給油機構において、例えば、潤滑油を一定の圧力で吐出させる設定にするか、または電動モータの回転数が変動することで吐出油量が変化するポンプを有する場合には、モータ回転数に応じて潤滑油の油圧（潤滑油圧力）を変化させる。この場合に、軸心給油機構は、車両の発進時などの低速回転域では、減速機へ導く潤滑油の流量を増加させないため、電動モータ側への潤滑油の流量を必要量確保することができ、同電動モータの冷却性能・冷却効率の向上を図ることができる。
【０００９】
電動モータの回転数が定められた高速回転域では、流量調整弁は減速機へ導く流量を増加させるように、遠心力の作用、または潤滑油の油圧によって開度を調整する。したがって、高速回転域において、減速機側への潤滑油の流量を必要量確保することができ、この減速機の冷却性能・冷却効率の向上を図ることができる。なお流量調整弁は、例えば、前記主軸または前記減速機入力軸に設けられる弾性部材と、この弾性部材に付設される弁体とを有する。この場合に、弾性部材と弁体とが一体に設けられていても良い。
前述のように電動モータの回転数に応じて流量調整弁により潤滑油の供給量を変化させることで、電動モータおよび減速機の冷却性能・冷却効率を共に向上させ、ユニット（つまりモータ駆動装置自体）の運転効率の向上を図ることができる。また潤滑油の供給量を変化させるとき、複雑な制御を必要とせずまた特別な駆動源等も必要とすることなく確実に行うことができるため、構造を簡単化してコスト低減を図れる。
【００１０】
前記流量調整弁は、前記主軸または前記減速機入力軸に設けられ弾性変形する弾性部材と、この弾性部材に付設することで移動自在に設けられる弁体とを有し、前記流量調整弁は、前記主軸が回転することで前記弁体に作用する遠心力により前記弾性部材を弾性変形させて前記弁体を移動させ、潤滑油の流量を調整するものとしても良い。
前記「移動自在」とは、姿勢変更も含む。
このように弁体に作用する遠心力により弾性部材を弾性変形させて弁体を移動させることで、複雑な制御を必要とせずに、流量調整を簡単に行うことができる。また弁体を移動させる駆動源等を不要とするため、構造を簡単化してコスト低減を図れる。
【００１１】
前記弾性部材はばね部材であり、前記流量調整弁は、前記ばね部材のばね定数の調整により、前記弁体の移動量を調整可能としても良い。この場合、ばね定数と弁体の移動量との関係を、試験やシミュレーション等により設定しておき、この設定した関係から流量調整を簡単に行うことができる。例えば、弁体を、あるモータ回転数（例えば、５０００ｒｐｍ）から徐々に移動させていき、定められたモータ回転数（例えば、１００００ｒｐｍ）で最大限移動させるように設計して流量調整を行う。
【００１２】
前記主軸または前記減速機入力軸の内部に凹み部を設け、前記流量調整弁は、前記高速回転域における閾値以上の高速回転で前記弁体を、前記弾性部材の付勢力に抗して前記凹み部に収容させるものとしても良い。
前記閾値は、例えば、試験やシミュレーション等の結果により定められる。
前記閾値以上の高速回転で、弁体を弾性部材の付勢力に抗して凹み部に収容することで、主軸または減速機入力軸の管路抵抗を低減して減速機へ導く潤滑油の流量をより増加させることができる。
【００１３】
前記電動モータは、一部または全体が前記車輪内に配置されて前記電動モータと前記車輪用軸受と前記減速機とを含むインホイールモータ駆動装置を構成するものとしても良い。
前記軸心給油機構は、前記電動モータの回転数が変動することで吐出油量が変化するポンプを有し、前記流量調整弁は、潤滑油が前記主軸または前記減速機入力軸の油路を流れることで発生する潤滑油の油圧により前記弁体を移動させるものとしても良い。
【発明の効果】
【００１４】
この発明のモータ駆動装置は、車輪を駆動する電動モータと、前記車輪を回転支持する車輪用軸受と、前記電動モータの回転を減速して前記車輪用軸受に伝達する減速機と、潤滑油を前記電動モータの主軸の内部から前記電動モータおよび前記減速機に供給する軸心給油機構とを備えたモータ駆動装置において、前記軸心給油機構は、潤滑油を、前記主軸の内部から前記電動モータと、前記主軸に同心に設けられる減速機入力軸の内部とに分岐して導く機構であり、前記主軸または前記減速機入力軸に、前記電動モータの定められた高速回転域で前記減速機へ導く潤滑油の流量を増加させるように、遠心力の作用、または潤滑油の油圧によって開度を調整する流量調整弁を設けた。このため、車輪を電動モータと減速機により駆動するモータ駆動装置において、電動モータと減速機への流量分配を回転速度に応じて適切に調整できて、運転効率向上を図ることができる。
【図面の簡単な説明】
【００１５】
【図１】この発明の実施形態に係るモータ駆動装置の断面図である。
【図２】同１のII-II線断面となる減速機部分の断面図である。
【図３】図２の部分拡大図である。
【図４】同モータ駆動装置の要部を拡大して示す断面図である。
【図５】図４のV-V線断面図である。
【図６】同モータ駆動装置の流量調整弁を開放させた部分を拡大して示す断面図である。
【図７】この発明の他の実施形態に係るモータ駆動装置の要部を拡大して示す断面図である。
【図８】図７のVIII-VIII線断面図である。
【図９】同モータ駆動装置の流量調整弁を開放させた部分を拡大して示す断面図である。
【発明を実施するための形態】
【００１６】
この発明の実施形態に係るモータ駆動装置を図１ないし図６と共に説明する。
図１に示すように、モータ駆動装置は、車輪を駆動する電動モータ１と、この電動モータ１の回転を減速する減速機２と、この減速機２の入力軸３（減速機入力軸３と称す）と同軸の出力部材４によって回転される車輪用軸受５と、軸心給油機構Ｊｋとを有する。車輪用軸受５と電動モータ１との間に減速機２を介在させ、車輪用軸受５で支持される駆動輪である車輪のハブと、電動モータ１のモータ回転軸６とを同軸心上で連結してある。このモータ駆動装置は、一部または全体が車輪内に配置されるインホイールモータ駆動装置である。
【００１７】
減速機２を収納する減速機ハウジング７には、車両における図示外のサスペンションが連結される。なお、この明細書において、モータ駆動装置を車両に設けた状態で車両の車幅方向の外側寄りとなる側をアウトボード側と呼び、車両の中央寄りとなる側をインボード側と呼ぶ。
【００１８】
電動モータ１は、モータハウジング８に固定したモータステータ９と、モータ回転軸６に取り付けたモータロータ１０との間にラジアルギャップを設けたＩＰＭモータ（いわゆる埋込み磁石型同期モータ）である。モータハウジング８には、軸方向に離隔して転がり軸受１１，１２が設けられ、これら転がり軸受１１，１２に主軸であるモータ回転軸６が回転自在に支持されている。モータ回転軸６は、電動モータ１の駆動力を減速機２に伝達するものである。モータ回転軸６の軸方向中間付近部には、径方向外方に延びるフランジ部６ａが設けられ、このフランジ部６ａにロータ固定部材１３を介してモータロータ１０が取付けられている。
【００１９】
減速機入力軸３は、軸方向一端がモータ回転軸６内に延びて、モータ回転軸６とスプライン嵌合されている。出力部材４のカップ部内に転がり軸受１４ａが嵌合され、前記カップ部内に内ピン２２を介して連結される筒状の連結部材４ａ内に転がり軸受１４ｂが嵌合されている。転がり軸受１１，１２，１４ａ，１４ｂによって減速機入力軸３およびモータ回転軸６は、一体に且つ同心に回転自在に支持されている。減速機入力軸３の外周面には、偏心部１５，１６が設けられる。これら偏心部１５，１６は偏心運動による遠心力が互いに打ち消されるように１８０°位相をずらして設けられている。減速機２は、曲線板１７，１８と、複数の外ピン１９と、カウンタウェイト２１とを有するサイクロイド減速機である。
【００２０】
図２は、図１のII-II線断面となる減速機部分の断面図である。減速機２は、外形がなだらかな波状のトロコイド曲線で形成された２枚の曲線板１７，１８が、それぞれ転がり軸受８５を介して、各偏心部１５，１６に装着してある。これら各曲線板１７，１８の偏心運動を外周側で案内する複数の外ピン１９を、それぞれ減速機ハウジング７の内側に設け、前記複数の内ピン２２を、各曲線板１７，１８の内部に設けられた複数の円形の貫通孔８９に挿入状態に係合させてある。
【００２１】
図３に拡大して示すように、各外ピン１９と各内ピン２２には針状ころ軸受９２，９３が装着される。各外ピン１９は、それぞれ針状ころ軸受９２で両端支持されて各曲線板１７，１８の外周面と転接する。また各内ピン２２は、針状ころ軸受９３の外輪９３ａが、それぞれ各曲線板１７，１８の各貫通孔８９の内周に転接する。したがって、外ピン１９と各曲線板１７，１８の外周との接触抵抗、および各内ピン２２と各貫通孔８９の内周との接触抵抗を低減する。
【００２２】
よって、図１に示すように、各曲線板１７，１８の偏心運動をスムーズに車輪用軸受５の内方部材５ａに回転運動として伝達し得る。モータ回転軸６が回転すると、このモータ回転軸６と一体回転する減速機入力軸３に設けられた各曲線板１７，１８が偏心運動を行う。このとき外ピン１９が偏心運動する各曲線板１７，１８の外周面と転がり接触するように係合すると共に、各曲線板１７，１８が、内ピン２２と貫通孔８９（図３）との係合によって、各曲線板１７，１８の自転運動のみが出力部材４および車輪用軸受５の内方部材５ａに回転運動として伝達される。モータ回転軸６の回転に対して内方部材５ａの回転は減速されたものとなる。車輪用軸受５は内方部材５ａと外方部材５ｂの間にボールを組み込んだ複列アンギュラ玉軸受であり、外方部材５ｂは減速機２の減速機ハウジング７に固定されている。内方部材５ａに伝達された回転運動は、内方部材５ａに設けられた車輪取付フランジ５ｃからタイヤに伝達される。
【００２３】
軸心給油機構Ｊｋは、電動モータ１の冷却および減速機２の潤滑，冷却に用いられる潤滑油をモータ回転軸６の内部から供給する。この軸心給油機構Ｊｋは、潤滑油路３１と、潤滑油路３３と、潤滑油流路３０と、オイルポンプ２８と、潤滑油貯留部２９と、流量調整弁Ｒｖ（図４）とを有する。潤滑油流路３０は、モータハウジング８に設けられ、オイルポンプ２８と、潤滑油路３１の主軸中心油路３２とに連通する。
【００２４】
潤滑油路３１は、潤滑油をモータ回転軸６およびフランジ部６ａの内部から半径方向外方に導き、電動モータ１のモータステータ９のコイル７８に射出して冷却する。潤滑油路３１は、主軸中心油路３２に導かれた潤滑油の一部を、半径方向の油路３５を経由して、ロータ固定部材１３とモータロータ１０との間の軸方向に形成された溝δ１に導き、さらにこの溝δ１に連通する径方向の環状隙間δ２を通すことで、モータロータ１０を冷却する。
【００２５】
潤滑油路３１は、環状隙間δ２の油吹出し口から、各コイルエンドの内周面に対し、モータロータ１０の遠心力とオイルポンプ２８の圧力とにより潤滑油を射出することで、コイル７８を冷却する。よって電動モータ１全体が冷却される。この冷却に供された潤滑油は、重力によって下方に移動しモータハウジング８の下部に落ち、その後、このモータハウジング８の下部に連通する潤滑油貯留部２９に貯留される。なお、重力によって下方に移動する潤滑油は途中、転がり軸受１１，１２を潤滑および冷却する機能を有している。
【００２６】
潤滑油路３３は、入力軸油路３６に導かれた潤滑油をオイル供給口３７を経由して、減速機２内の各部を潤滑し且つ冷却する。入力軸油路３６は、主軸中心油路３２に連通し、減速機入力軸３の内部におけるインボード側端からアウトボード側に軸方向に延びる。オイル供給口３７は、入力軸油路３６のうち偏心部１５，１６が設けられる軸方向位置、および、前記連結部材４ａのうち内ピン２２に連通する油路が設けられる軸方向位置から、半径方向外方に延びている。オイル供給口３７からの遠心力とオイルポンプ２８の圧力により潤滑油を射出することで、転がり軸受８５、針状ころ軸受９２，９３、転がり軸受１４ａ，１４ｂや曲線板１７，１８と外ピン１９，内ピン２２との当接箇所等を潤滑・冷却する。減速機２の潤滑・冷却に供された潤滑油は重力によって下方に移動して、減速機ハウジング７の下方の潤滑油貯留部２９に排出するオイル排出口３８が減速機ハウジング７に設けられている。
【００２７】
オイルポンプ２８は、潤滑油貯留部２９に貯留された潤滑油を、潤滑油貯留部２９内の吸込口から吸い上げて潤滑油流路３０を経由して主軸中心油路３２および入力軸油路３６に循環させる。このオイルポンプ２８は、例えば、出力部材４の回転により回転する図示外のインナーロータと、このインナーロータの回転に伴って従動回転するアウターロータと、ポンプ室と、吸入口と、吐出口とを有するサイクロイドポンプである。図１ではオイルポンプ２８は、電動モータ１と減速機２の間に設けられている。つまり、モータハウジング８と減速機ハウジング７の間でモータハウジング８に設けられた隔壁にオイルポンプ２８が設けられている。図示外のインナーロータは、連結部材４ａに固定され出力部材４の回転により回転できるようになっている。
【００２８】
電動モータ１に駆動される出力部材４の回転により前記インナーロータが回転すると、前記アウターロータは従動回転する。このとき前記インナーロータおよび前記アウターロータはそれぞれ異なる回転中心を中心として回転することで、前記ポンプ室の容積が連続的に変化する。これにより、潤滑油貯留部２９に貯留された潤滑油は、吸い上げられて前記吸入口から流入し、前記吐出口から潤滑油流路３０に圧送される。潤滑油は、この潤滑油流路３０から主軸中心油路３２に導かれ、電動モータ１および減速機２に供給される。
【００２９】
流量調整弁について
図４は、このモータ駆動装置の要部（図１のＡ部）を拡大して示す断面図である。図５は、図４のV-V線断面図である。図４および図５に示すように、この流量調整弁Ｒｖは、減速機入力軸３に設けられ、電動モータ１（図１）の定められた高速回転域で減速機２（図１）へ導く潤滑油の流量を増加させるように調整する。流量調整弁Ｒｖは、減速機入力軸３のインボード側端部に設けられ弾性変形する複数（この例では２個）の弾性部材３９と、各弾性部材３９にそれぞれ付設される弁体４０とを有する。
【００３０】
この弾性部材３９は、ねじりコイルばねから成るばね部材である。このばね部材における巻回部から一端側に延びる一腕部３９ａが、減速機入力軸３のインボード側端部にボルト４１等を用いて固定される。ばね部材における他腕部３９ｂには矩形板状の弁体４０が固定される。なおばね部材の一腕部３９ａ，他腕部３９ｂの先端は、固定対象に応じて曲げ加工等が行われている。
【００３１】
電動モータ１（図１）の回転による遠心力および潤滑油圧力が弁体４０に作用しない通常時は、図４に示すように、同弁体４０は、入力軸油路３６内でアウトボード側に向かうに従って軸中心側に至るように傾斜する姿勢に保持される。同図４におけるばね部材の一腕部３９ａと他腕部３９ｂとのなす角度がいわゆる自由角度である。またこの例では、図５に示すように、１個のばね部材および弁体４０に対し、他のばね部材および弁体４０が１８０度位相の異なる線対称となる位置に配置される。弾性部材３９、弁体４０は、２組に限らず、３組、４組であってもよい。
【００３２】
図６は、この流量調整弁Ｒｖを開放させた部分を拡大して示す断面図である。図４および図６に示すように、弁体４０は、ばね部材の一腕部３９ａに固定することで移動自在に設けられる。弁体４０の移動量は、ばね部材のばね定数の調整により適宜に調整可能とされる。この場合、ばね定数と弁体４０の移動量との関係を、試験やシミュレーション等により設定しておき、この設定した関係から流量調整を行える。
【００３３】
この流量調整弁Ｒｖは、モータ回転軸６（図１）が回転することで弁体４０に作用する遠心力および潤滑油圧力によりばね部材を弾性変形させて弁体４０を移動させ、潤滑油の流量を調整する。例えば、弁体４０を、あるモータ回転数（例えば、５０００ｒｐｍ）から徐々に移動させておき、定められたモータ回転数（例えば、１００００ｒｐｍ）で最大限移動させるように設計して流量調整を行う。
【００３４】
減速機入力軸３の内部には、複数の弁体４０をそれぞれ収容可能な凹み部４２が入力軸油路３６の周壁に設けられている。これら凹み部４２は、互いに対向するように形成されている。流量調整弁Ｒｖは、前記高速回転域における閾値以上の高速回転で弁体４０を、ばね部材の付勢力に抗して凹み部４２に収容させる（図６）。
【００３５】
以上説明したモータ駆動装置によると、軸心給油機構Ｊｋは、潤滑油を、モータ回転軸６の内部から電動モータ１に供給すると共に、減速機入力軸３の内部から減速機各部に供給する。軸心給油機構Ｊｋにおけるオイルポンプ２８について、例えば、電動式の様な潤滑油を一定の圧力で吐出するポンプの場合、軸心給油機構Ｊｋは、車両の発進時などの低速回転域では、減速機２へ導く潤滑油の流量を増加させないため、電動モータ１側への潤滑油の流量を必要量確保することができ、同電動モータ１の冷却性能・冷却効率の向上を図ることができる。
【００３６】
電動モータ１の回転数が定められた高速回転域では、流量調整弁Ｒｖは減速機２へ導く流量を増加させるように調整する。したがって、高速回転域において、減速機２側への潤滑油の流量を必要量確保することができ、この減速機２の冷却性能・冷却効率の向上を図ることができる。
このように電動モータ１の回転数に応じて流量調整弁Ｒｖにより潤滑油の供給量を変化させることで、電動モータ１および減速機２の冷却性能・冷却効率を共に向上させ、このモータ駆動装置自体の運転効率の向上を図ることができる。
【００３７】
また弁体４０に作用する遠心力および潤滑油圧力によりばね部材を弾性変形させて弁体４０を移動させることで、複雑な制御を必要とせずに、流量調整を簡単に行うことができる。また弁体４０を移動させる駆動源等を不要とするため、構造を簡単化してコスト低減を図れる。
前記閾値以上の高速回転で、弁体４０をばね部材の付勢力に抗して凹み部４２に収容することで、減速機入力軸３の管路抵抗を低減して減速機２へ導く潤滑油の流量をより増加させることができる。
【００３８】
他の実施形態について説明する。
以下の説明においては、各形態で先行する形態で説明している事項に対応している部分には同一の参照符を付し、重複する説明を略する。構成の一部のみを説明している場合、構成の他の部分は、特に記載のない限り先行して説明している形態と同様とする。同一の構成から同一の作用効果を奏する。実施の各形態で具体的に説明している部分の組合せばかりではなく、特に組合せに支障が生じなければ、実施の形態同士を部分的に組合せることも可能である。
【００３９】
図７は、他の実施形態に係るモータ駆動装置の要部（図１のＢ部またはＣ部）を拡大して示す断面図である。図８は、図７のVIII-VIII線断面図である。図７および図８に示すように、他の実施形態に係る流量調整弁Ｒｖは、モータ回転軸６または減速機入力軸３に設けられる。この流量調整弁Ｒｖは、円周方向一定間隔置きに設けられる複数（この例では４個）の弾性部材３９と、各弾性部材３９にそれぞれ付設される弁体４０とを有する。
【００４０】
この弾性部材３９は、圧縮コイルばねからなるばね部材である。モータ回転軸６または減速機入力軸３には、円周方向一定間隔置きに複数（この例では４つ）の凹み部４２が形成される。各凹み部４２は半径方向に延び且つ軸内部に連通する。各凹み部４２における外径側部分に雌ねじが形成され、この雌ねじに蓋部材４３が着脱自在に設けられる。各蓋部材４３の底部には、ばね部材の一端を支持する支持部４３ａが付設され、ばね部材の他端が弁体４０に固定される。
【００４１】
各弁体４０は、それぞれ平面視略扇形（図８）でモータ軸方向に沿って延びる柱形状に形成される。各弁体４０は、前記モータ軸方向の一端および他端にそれぞれ摺動部４０ａを有し、各弁体４０におけるこれら摺動部４０ａが凹み部４２に沿って半径方向に移動可能に構成される。電動モータ１の回転による遠心力および潤滑油圧力が各弁体４０に作用しない通常時は、これら弁体４０は凹み部４２から最大限突出すると共に、弁体４０における円周方向の両側端部４０ｂが隣接する弁体４０における円周方向の端部４０ｂに互いに当接する。これにより減速機２（図１）側への潤滑油の流量が最大限絞られる。
【００４２】
図９に示すように、モータ回転軸６が回転することで弁体４０に作用する遠心力および潤滑油圧力によりばね部材を弾性変形させて弁体４０を移動させ、潤滑油の流量を調整する。流量調整弁Ｒｖは、高速回転域における閾値以上の高速回転で弁体４０を、ばね部材に付勢力に抗して凹み部４２に収容させる。これにより、減速機入力軸３またはモータ回転軸６の管路抵抗を低減して減速機２（図１）へ導く潤滑油の流量を増加させ得る。
【００４３】
インホイールモータ駆動装置においては、サイクロイド式の減速機、遊星減速機、２軸並行減速機、その他の減速機を適用可能である。
左右輪を、車体に設置した１台ないし２台のモータで駆動するいわゆるオンボード式の駆動輪としてもよい。
オイルポンプ２８を、このモータ駆動装置の外部に設けて配管接続しても良い。
以上、図面を参照してこの発明の形態を説明したが、この発明は、図示した実施の形態のものに限定されない。図示した実施の形態に対して、この発明と同一の範囲内において、あるいは均等の範囲において、種々の修正や変形を加えることが可能である。
【符号の説明】
【００４４】
１…電動モータ
２…減速機
３…減速機入力軸
５…車輪用軸受
６…モータ回転軸（主軸）
２８…オイルポンプ
３９…弾性部材
４０…弁体
４２…凹み部
Ｊｋ…軸心給油機構
Ｒｖ…流量調整弁
【図１】
2016039741.tif 000003
【図２】
2016039741.tif 000004
【図３】
2016039741.tif 000005
【図４】
2016039741.tif 000006
【図５】
2016039741.tif 000007
【図６】
2016039741.tif 000008
【図７】
2016039741.tif 000009
【図８】
2016039741.tif 000010
【図９】
2016039741.tif 000011